(57)【要約】【課題】衣替え作業に要する時間を大幅に削減し、かつ、作業者への負担を大幅に軽減する。【解決手段】少なくとも、チェスト本体と、チェスト本体に出し入れ可能に収容された衣装収納用の第１ケースと、を備えるチェストと、チェスト外に設置される衣装収納用の第２ケースと、を有し、第１ケースと第２ケースとを交換可能に構成することによって、チェスト内での衣装収納と、チェスト外での衣装収納と、を選択可能とした。また、チェスト本体には、第１ケースを支持するガイド部材が設けられ、ガイド部材は、第１ケースの全体がチェスト本体から露出する位置まで、第１ケースを引き出し可能な構成とした。【選択図】図１
2008302193.tif 000002
【特許請求の範囲】
【請求項１】
少なくとも、
チェスト本体と、前記チェスト本体に出し入れ可能に収容された衣装収納用の第１ケースと、を備えるチェストと、
前記チェスト外に設置される衣装収納用の第２ケースと、
を有し、
前記第１ケースと前記第２ケースとを交換可能に構成することによって、前記チェスト内での衣装収納と、前記チェスト外での衣装収納と、を選択可能としたこと
を特徴とする収納システム。
【請求項２】
前記第１ケース及び前記第２ケースは、それぞれ２以上であり、蓋部を取り付けて載置することにより積み重ねが可能な構成としたことを特徴とする請求項１に記載の収納システム。
【請求項３】
前記チェスト本体には、前記第１ケースを支持するガイド部材が設けられ、前記ガイド部材は、前記第１ケースの全体が前記チェスト本体から露出する位置まで、前記第１ケースを引き出し可能な構成としたことを特徴とする請求項３に記載の収納システム。
【請求項４】
前記ガイド部材はフルスライドレールであって、前記第１ケースは、前記フルスライドレールの摺動により引き出し可能な構成としたことを特徴とする請求項３に記載の収納システム。
【請求項５】
前記チェスト本体は、前記第１ケースを保持する保持部材を備え、前記保持部材は、前記チェスト本体に設けられたガイド部材により引き出し可能に支持される構成としたことを特徴とする請求項１乃至請求項４のうち、いずれか１に記載の収納システム。
【請求項６】
前記保持部材は少なくとも底面を備え、前記ガイド部材は、前記保持部材の前記底面を支持する構成としたことを特徴とする請求項５に記載の収納システム。
【請求項７】
前記保持部材は側面を備え、前記ガイド部材は、前記保持部材を前記側面から支持する構成としたことを特徴とする請求項５又は請求項６に記載の収納システム。
【請求項８】
前記ガイド部材は、前記保持部材に固着されたスライドレールであって、前記保持部材は、前記スライドレールの摺動により移動する構成としたことを特徴とする請求項５乃至請求項７のうち、いずれか１に記載の収納システム。
【請求項９】
前記保持部材は、前記チェスト本体の前面側に配置される前板部を備えることを特徴とする請求項５乃至請求項８のうち、いずれか１に記載の収納システム。
【請求項１０】
前記チェスト本体には、前記第１ケースを支持するガイド部材が設けられ、前記ガイド部材は、前記第１ケースの底面を直接支持することを特徴とする請求項１乃至請求項４のうち、いずれか１に記載の収納システム。
【請求項１１】
前記チェスト本体には、前記第１ケースを支持するガイド部材が設けられ、前記ガイド部材は、前記第１ケースを側面から直接支持することを特徴とする請求項１乃至請求項４のうち、いずれか１に記載の収納システム。
【請求項１２】
前記ガイド部材は、前記チェスト本体の前面側に配置される前板部を備えることを特徴とする請求項１０又は請求項１１に記載の収納システム。
【発明の詳細な説明】
【技術分野】
【０００１】
本発明は、収納システムに関し、特に、衣装を収納するのに好適な収納システムに関する。
【背景技術】
【０００２】
一般に、家庭では衣装を収納するためにチェストやタンスが用いられている（例えば特許文献１〜３）。しかし、チェストの収納量には限界があるため、日常的に着用する衣装をチェストに収納する一方で、着用頻度の低い衣装は押し入れに収容可能な簡易なケースに収納する、という収納形態を取ることが少なくない。衣装の着用頻度は、主に季節の変化に応じて変動するものであって、多くの家庭では、季節の変わり目に、チェストに収納した衣装と簡易ケースに収納した衣装を交換するために衣替え作業を行う。
【０００３】
【特許文献１】実開昭６１−３１２２８号公報
【特許文献２】実開平３−５４１８３号公報
【特許文献３】実開昭６０−３９６３７号公報
【発明の開示】
【発明が解決しようとする課題】
【０００４】
しかしながら、衣替え作業は、チェストに収納した大量の衣装をすべて入れ替える作業であるため、作業に多くの時間を要するとともに、腰を屈めながら埃の舞う中で作業する者に大きな負担を強いることとなる。
【０００５】
そこで本発明は、衣替え作業に要する時間を大幅に削減し、かつ、作業者への負担を大幅に軽減することのできるチェスト及び収納システムを提供することを目的とする。
【課題を解決するための手段】
【０００６】
上記課題を解決するために、本発明の収納システムにおいては、少なくとも、チェスト本体と、チェスト本体に出し入れ可能に収容された衣装収納用の第１ケースと、を備えるチェストと、チェスト外に設置される衣装収納用の第２ケースと、を有し、第１ケースと第２ケースとを交換可能に構成することによって、チェスト内での衣装収納と、チェスト外での衣装収納と、を選択可能としたことを特徴としている。
【０００７】
本発明の収納システムにおいて、第１ケース及び第２ケースは、それぞれ２以上であり、蓋部を取り付けて載置することにより積み重ねが可能な構成としたことを特徴とする。
【０００８】
本発明の収納システムにおいて、チェスト本体には、第１ケースを支持するガイド部材が設けられ、ガイド部材は、第１ケースの全体がチェスト本体から露出する位置まで、第１ケースを引き出し可能な構成としたことを特徴とする。
【０００９】
本発明の収納システムにおいて、ガイド部材はフルスライドレールであって、第１ケースは、フルスライドレールの摺動により引き出し可能な構成としたことを特徴とする。
【００１０】
本発明の収納システムにおいて、チェスト本体は、第１ケースを保持する保持部材を備え、保持部材は、チェスト本体に設けられたガイド部材により引き出し可能に支持される構成としたことを特徴とする。
【００１１】
本発明の収納システムにおいて、保持部材は少なくとも底面を備え、ガイド部材は、保持部材の底面を支持する構成としたことを特徴とする。
【００１２】
本発明の収納システムにおいて、保持部材は側面を備え、ガイド部材は、保持部材を側面から支持する構成としたことを特徴とする。
【００１３】
本発明の収納システムにおいて、ガイド部材は、保持部材に固着されたスライドレールであって、保持部材は、スライドレールの摺動により移動する構成としたことを特徴とする。
【００１４】
本発明の収納システムにおいて、保持部材は、チェスト本体の前面側に配置される前板部を備えることを特徴とする。
【００１５】
本発明の収納システムにおいて、チェスト本体には、第１ケースを支持するガイド部材が設けられ、ガイド部材は、第１ケースの底面を直接支持することを特徴とする。
【００１６】
本発明の収納システムにおいて、チェスト本体には、第１ケースを支持するガイド部材が設けられ、ガイド部材は、第１ケースを側面から直接支持することを特徴とする。
【００１７】
本発明の収納システムにおいて、ガイド部材は、チェスト本体の前面側に配置される前板部を備えることを特徴とする。
【発明の効果】
【００１８】
本発明によると、少なくとも、チェスト本体と、チェスト本体に出し入れ可能に収容された衣装収納用の第１ケースと、を備えるチェストと、チェスト外に設置される衣装収納用の第２ケースと、を有し、第１ケースと第２ケースとを交換可能に構成することによって、チェスト内での衣装収納と、チェスト外での衣装収納と、を選択可能としたため、衣替え作業に要する時間を大幅に削減し、かつ、作業者への負担を大幅に軽減することができる。
【発明を実施するための最良の形態】
【００１９】
以下、本発明の第１実施形態に係る収納システムについて図面を参照しつつ詳しく説明する。第１実施形態に係る収納システムは、第１ケース３１を備えたチェスト（タンス）１０と、第２ケース３２、３３、３４と、を有する。第１実施形態に係る収納システムは、衣装（例えば、衣服、着物）に好適であるが、それ以外のものを収納することもできる。
以下に、各部材の詳細な構成について説明する。
【００２０】
図１は、第１実施形態に係るチェスト１０の構成を示す斜視図である。図１に示すように、チェスト１０は、フレーム状のチェスト本体１１内に、引き出し部２０を引き出し可能な状態に収容している。チェスト本体１１は、例えば樹脂や木材で形成されている。引き出し部２０は、例えば図１に示すように、上段引き出し２０ａ、中段引き出し２０ｂ、下段引き出し２０ｃから構成することができるが、本発明は引き出しの数が１以上であれば適用可能である。なお、各段の引き出しは同一形状であることが望ましいが、チェスト本体１１内に収容できれば、異なる形状であってもよい。
【００２１】
図２は、第１実施形態に係るチェスト１０の引き出し部２０と第１ケース３１との関係を示す斜視図である。図２に示すように、引き出し部２０（保持部材）の各引き出し内には、第１ケース３１を出し入れ可能に収容保持することができる。第１ケース３１は、例えば樹脂の成形により、上面が開口部３１ａとなった略直方体形状をなしている。第１ケース３１は、いずれかの引き出しにのみ収容することもできる一方、すべての引き出し内に一つずつ収容することもできる。
【００２２】
図２に示すように、引き出し部２０は、第１ケース３１が載置される略矩形状の底板２１（底面）を備え、この底板２１の各辺からは側板２２（側面）が鉛直方向に延びるように設けられている。また、側板２２のうち、引き出し部２０の引き出し方向外側には前板２３（前板部）が、例えばねじ止めにより、固定されている。各段の引き出しに設けた前板２３は、チェスト本体１１内に収容したときに互いに同一面内にあるように配置することが好ましい。
【００２３】
引き出し部２０をこのような構成としたことにより、底板２１上に載置された第１ケース３１は、底板２１によって底板３１ｂが、側板２２及び前板２３によって側面３１ｃが、それぞれ支持されるため、引き出し部２０のチェスト本体１１からの出し入れの際に、引き出し部２０から落ちることなくチェスト本体１１から出し入れ可能となる。さらに、前板２３を設けたことにより、衣替え作業を簡便に行うことができるようになる。なお、引き出し部２０には、側板２２及び前板２３を設けることが好ましいが、これらを設けずに底板２１のみで構成することもできる。
【００２４】
図３、図４に示すように、引き出し部２０は、チェスト本体１１内の収容空間１１ａ内に設けられた一対のスライドレール１２（ガイド部材）により、引き出し可能に支持されている。ここで、図３は、第１実施形態に係るチェスト１０、スライドレール１２、及び引き出し部２０の関係を示す拡大斜視図であって、引き出し部２０をチェスト本体１１内に収容した状態を示す図である。図４は、第１実施形態に係るチェスト１０、スライドレール１２、及び引き出し部２０の関係を示す拡大斜視図であって、引き出し部２０をチェスト本体１１から引き出した状態を示す図である。
【００２５】
スライドレール１２は、いわゆるフルスライドレールであって、収容空間１１ａの内壁において、引き出し部２０の引き出し方向に延びるように本体部１２ａが固着され、中空の本体部１２ａ内には、引き出し部２０の引き出し方向に沿って出入り可能な第１スライド部材１２ｂが挿入されている。さらに、中空の第１スライド部材１２ｂ内には、引き出し部２０の引き出し方向に沿って出入り可能な第２スライド部材１２ｃが挿入されている。本体部１２ａと第１スライド部材１２ｂとの間の空間には、第１スライド部材１２ｂがスムーズに摺動するようにボールベアリングが挿入配置され、第１スライド部材１２ｂと第２スライド部材１２ｃとの間の空間にも、第２スライド部材１２ｃの摺動をスムーズにするためのボールベアリングが挿入配置されている。この構成によれば、本体部１２ａから第１スライド部材１２ｂを、第１スライド部材１２ｂから第２スライド部材１２ｃを順に摺動しつつ繰り出すことによって、チェスト本体１１から外部へ延び出る量を増大させることができる。スライドレール１２がチェスト本体１１から延び出る量は、引き出し部２０が保持する第１ケース３１の開口部３１ａがチェスト本体１１から外部へ完全に露出する程度の量であると、第１ケース３１の引き出し部２０からの出し入れが容易となるため好ましい。なお、引き出し部２０の前板２３は、第２スライド部材１２ｃの先端に設けることもできる。
【００２６】
図５は、第１実施形態に係る第２ケース３２、３３、３４を、チェスト１０に収容しない状態、すなわちチェスト１０外において、順に積載した状態を示す斜視図である。
第２ケース３２、３３、３４は互いに同一形状であるとともに、第１ケース３１と同一形状であることが好ましい。また、第２ケース３２、３３、３４は第１ケース３１と同様に、例えば樹脂の成形により形成する。図５には、第２ケース３２、３３、３４の三つの第２ケースを示しているが、第２ケースは一つ以上であればよく、収納ケースの仕様に応じて第２ケース、さらには、第１ケースの数を設定することができる。
【００２７】
第２ケース３２、３３、３４は、第１ケース３１の開口部３１ａと同様の開口部を上から覆って内部に閉じた空間を形成することのできる蓋部３２ｄ、３３ｄ、３４ｄを備える。第２ケースの蓋部上に別の第２ケースの底面部を載置することにより、複数の第２ケースを積載したブロック体３５を形成することができる。図５に示した例では、第２ケース３２の蓋部３２ｄ上に第２ケース３３の底面部３３ｂを、第２ケース３３の蓋部３３ｄ上に第２ケース３４の底面部３４ｂを、それぞれ載置することによって、第２ケース３２、３３、及び、３４を順次積層することができる。ブロック体３５における積層数は任意に設定できるため、第２ケースを収容する場所（例えば押し入れ）の大きさに合わせて、ブロック体３５の積層数を変更すれば、収容場所内に第２ケースを効率的に配置することができる。
【００２８】
チェスト１０及び第２ケース３２、３３、３４を以上のような構成としたことにより、チェスト１０の引き出し部２０内の第１ケース３１と、チェスト１０外の第２ケース３２、３３、３４のいずれかと、をそのまま交換することができ、これにより、チェスト１０内での衣装収納と、チェスト１０外での衣装収納と、が選択可能となる。このため、チェストの各引き出し中の衣装をすべて取り出した後に、ケース内の衣装をすべて引き出し内に収納し、さらに、取り出した衣装をケースに収納する、という従来の衣替え作業に比して、大幅に作業時間を削減することができるとともに、作業者への負担を大幅に軽減することができる。
【００２９】
図６は、第２実施形態に係るチェスト５０の構成を示す斜視図である。第１実施形態においては、第１ケース３１を引き出し部２０によって支持していたが、第２実施形態においては、引き出し部を設けることなくチェスト本体５１の収容空間５１ａ内に固着された一対のスライドレール５２により、第１ケース６１の底面部６１ｂを摺動可能に直接支持している。チェスト本体５１、及び第１ケース６１は、第１実施形態のチェスト本体１１、及び第１ケース３１と同様に、それぞれ形成することができる。
【００３０】
スライドレール５２（ガイド部材）は、第１実施形態のスライドレール１２と同様のフルスライドレールであって、収容空間５１ａの内壁において、第１ケース６１の引き出し方向に延びるように本体部５２ａが固着され、中空の本体部５２ａの外側には、第１ケース６１の引き出し方向に沿ってスライド可能な第１スライド部材５２ｂが嵌挿されている。さらに、中空の第１スライド部材５２ｂの外側には、第１ケース６１の引き出し方向に沿ってスライド可能な第２スライド部材５２ｃが嵌挿されている。この構成によれば、本体部５２ａから第１スライド部材５２ｂを、第１スライド部材５２ｂから第２スライド部材５２ｃを順に摺動しつつ繰り出すことによって、チェスト本体５１から外部へ延び出る量を増大させることができる。スライドレール５２がチェスト本体５１から延び出る量は、第１ケース６１の開口部６１ａがチェスト本体５１から外部へ完全に露出する程度の量であると、第１ケース６１のチェスト本体５１からの出し入れが容易となるため好ましい。
【００３１】
また、スライドレール５２の先端には、鉛直方向に延びるように、前板５３（前板部）が固着されている。このような前板５３を配置することにより、第１ケース６１の出し入れを簡便に行うことができる。
【００３２】
収容空間５１ａ内においてスライドレール５２を固着する高さは、チェスト本体５１内に収容する第１ケース６１の高さ、及び収容位置に応じて定めることができる。スライドレール５２は、第１ケース６１の引き出し方向に沿って、収容空間５１ａの奥行きいっぱいに配置することが好ましいが、一部に設ける場合は、チェスト本体５１の前面側に配置すると、第１ケース６１の引き出し、及び、引き出し後の保持が容易かつ確実となって、衣替え作業が簡便となるため好適である。なお、スライドレール５２は、チェスト本体５１とともに一体成形することもできる。また、スライドレール５２は、収容空間５１ａの幅方向に渡る板状部材で構成することもできる。
【００３３】
第２実施形態の第２ケース（図示せず）は、第１ケース６１と同様に形成することができ、また、第１ケース６１と同一形状であることが好ましい。この第２ケースは、第１実施形態の第２ケース３２、３３、３４と同様に、蓋部上に底面部を載置することによって順次積載することができる。
【００３４】
チェスト５０を以上のような構成としたことにより、チェスト５０内の第１ケース６１と、チェスト５０外の第２ケースと、をそのまま交換することができ、これにより、チェスト５０内での衣装収納と、チェスト５０外での衣装収納と、が選択可能となる。したがって、従来の引き出し式のチェストのような、チェストの各引き出し中の衣装をすべて取り出した後に、ケース内の衣装をすべて引き出し内に収納し、さらに、取り出した衣装をケースに収納する、という作業に比して、大幅に作業時間を削減することができるとともに、作業者への負担を大幅に軽減することができる。
【００３５】
以下に、第２実施形態の変形例について説明する。図７は、変形例に係るチェスト７０の構成を示す斜視図である。第２実施形態に係るチェスト５０では、スライドレール５２により第１ケース６１の底面部６１ｂを支持していたが、変形例に係るチェスト７０においては、スライドレール７２（ガイド部材）により第１ケース８１の側面部８１ｃ及びレール受け部８１ｄを摺動可能に直接支持している。また、チェスト７０のチェスト本体７１は、第１実施形態のチェスト本体１１と同様に、形成することができる。
【００３６】
スライドレール７２（ガイド部材）は、上述のスライドレール５２と同様のフルスライドレールであって、収容空間７１ａの内壁において、第１ケース８１の引き出し方向に延びるように本体部７２ａが固着され、中空の本体部７２ａの外側には、第１ケース８１の引き出し方向に沿ってスライド可能な第１スライド部材７２ｂが嵌挿されている。さらに、中空の第１スライド部材７２ｂの外側には、第１ケース８１の引き出し方向に沿ってスライド可能な第２スライド部材７２ｃが嵌挿されている。また、スライドレール７２の先端には、鉛直方向に延びるように、前板７３（前板部）が固着されている。このような前板７３を配置することにより、第１ケース８１の出し入れを簡便に行うことができる。
【００３７】
第１ケース８１には、一対のスライドレール７２に対する２つの側面８１ｃの上部に、外方に突出するようなレール受け部８１ｄがそれぞれ形成されている。第１ケース８１は、レール受け部８１ｄ、及び、これに連なる側面８１ｃを、スライドレール７２によって支持される。また、収容空間７１ａ内においてスライドレール７２を固着する高さは、レール受け部８１ｄの位置、チェスト本体７１内に収容する第１ケース８１の幅、及び収容位置に応じて定めることができる。なお、第２ケース（図示せず）については、第２実施形態と同様であるため説明を省略する。
【００３８】
チェスト７０を以上のような構成としたことにより、チェスト７０内の第１ケース８１と、チェスト７０外の第２ケースと、をそのまま交換することができ、これにより、チェスト７０内での衣装収納と、チェスト７０外での衣装収納と、が選択可能となる。したがって、従来の引き出し式のチェストのような、チェストの各引き出し中の衣装をすべて取り出した後に、ケース内の衣装をすべて引き出し内に収納し、さらに、取り出した衣装をケースに収納する、という作業に比して、大幅に作業時間を削減することができるとともに、作業者への負担を大幅に軽減することができる。
【図面の簡単な説明】
【００３９】
【図１】本発明の第１実施形態に係るチェストの構成を示す斜視図である。
【図２】本発明の第１実施形態に係るチェストの引き出し部と第１ケースとの関係を示す斜視図である。
【図３】本発明の第１実施形態に係るチェスト、フルスライドレール、及び引き出し部の関係を示す拡大斜視図であって、引き出し部をチェスト本体内に収容した状態を示す図である。
【図４】本発明の第１実施形態に係るチェスト、フルスライドレール、及び引き出し部の関係を示す拡大斜視図であって、引き出し部をチェスト本体から引き出した状態を示す図である。
【図５】本発明の第１実施形態に係る第２ケースを積載した状態を示す斜視図である。
【図６】本発明の第２実施形態に係るチェストの構成を示す斜視図である。
【図７】変形例に係るチェストの構成を示す斜視図である。
【符号の説明】
【００４０】
１０    チェスト
１１    チェスト本体
１１ａ  収容空間
１２    スライドレール（ガイド部材）
２０    引き出し部（保持部材）
２１    底板（底面）
２２    側板（側面）
２３    前板（前板部）
３１    第１ケース
３１ａ  開口部
３１ｂ  底面部
３１ｃ  側面部
３２    第２ケース
３２ｄ  蓋部
３３    第２ケース
３３ｂ  底面部
３３ｄ  蓋部
３４    第２ケース
３４ｂ  底面部
３５    ブロック体
５０    チェスト
５１    チェスト本体
５１ａ  収容空間
５２    スライドレール（ガイド部材）
５３    前板（前板部）
６１    第１ケース
６１ｂ  底面部
７０    チェスト
７１    チェスト本体
７１ａ  収容空間
７２    スライドレール（ガイド部材）
７３    前板（前板部）
８１    第１ケース
８１ｃ  側面部
【図１】
2008302193.tif 000003
【図２】
2008302193.tif 000004
【図３】
2008302193.tif 000005
【図４】
2008302193.tif 000006
【図５】
2008302193.tif 000007
【図６】
2008302193.tif 000008
【図７】
2008302193.tif 000009